(57)【要約】【課題】経済性や操作性、利便性に優れる連結具付き台車牽引用電動三輪車を提供する。【解決手段】電動モータおよびバッテリーを備えるとともに上面に人が立ち姿勢で乗車可能な車台と、電動モータによって駆動される一対の駆動輪および操舵輪と、操舵輪を操舵するハンドルとを備えた電動三輪車であって、電動三輪車と台車とを連結可能な連結具を備えたものにおいて、連結具は、一端側に台車のフレームに引掛けかつ挟持可能な引掛狭持部が設けられるとともに、他端側に垂直方向の回動軸を受けるための第１の軸受け金具が設けられたアームからなり、車台の後端に回動軸を受けるための第２の軸受け金具が設けられている。【選択図】図１
2009154683.tif 000002
【特許請求の範囲】
【請求項１】
電動モータおよびバッテリーを備えるとともに上面に人が立ち姿勢で乗車可能な車台と、
前記電動モータによって駆動される一対の駆動輪および操舵輪と、
前記操舵輪を操舵するハンドルとを備えた電動三輪車であって、
前記電動三輪車と台車とを連結可能な連結具を備えたものにおいて、
前記連結具は、一端側に前記台車のフレームに引掛けかつ挟持可能な引掛狭持部が設けられるとともに、他端側に垂直方向の回動軸を受けるための第１の軸受け金具が設けられたアームからなり、
前記車台の後端に前記回動軸を受けるための第２の軸受け金具が設けられていることを特徴とする連結具付き台車牽引用電動三輪車。
【請求項２】
前記アームは一対以上からなることを特徴とする請求項１に記載の連結具付き台車牽引用電動三輪車。
【請求項３】
前記引掛狭持部は２本の棒状部材の先端部を略Ｌ字型に屈曲させるとともに、各棒状部材を屈曲された先端部が互いに所定寸法ずれるように重ね合わせて固着して構成されていることを特徴とする請求項１または請求項２に記載の連結具付き台車牽引用電動三輪車。
【請求項４】
前記引掛狭持部は２枚の板状部材の先端部を略Ｌ字型に屈曲させるとともに、各板状部材を屈曲された先端部が互いに所定寸法ずれるように重ね合わせて固着して構成されていることを特徴とする請求項１または請求項２に記載の連結具付き台車牽引用電動三輪車。
【請求項５】
前記アームは前記垂直方向の回動軸に対して垂直方向に回動可能とされていることを特徴とする請求項１ないし請求項４のいずれか一項に記載の連結具付き台車牽引用電動三輪車。
【請求項６】
異なる種類の前記引掛狭持部を複数備えた請求項１ないし請求項５のいずれか一項に記載の連結具付き台車牽引用電動三輪車。
【請求項７】
電動モータおよびバッテリーを備えるとともに上面に人が立ち姿勢で乗車可能な車台と、前記電動モータによって駆動される一対の駆動輪および操舵輪と、前記操舵輪を操舵するハンドルとを備えた電動三輪車をこれが牽引する台車に連結するための連結具であって、
一端側に前記台車のフレームに引掛けかつ挟持可能な引掛狭持部を備えたアームと、このアームの他端側に設けられ垂直方向の回動軸を受けるための第１の軸受け金具と、この第１の軸受け金具を前記車台の後端に設けられた第２の軸受け金具に対して回動可能かつ互いに上下方向に移動可能に連結する回動軸とを備えてなる台車牽引用連結具。
【発明の詳細な説明】
【技術分野】
【０００１】
本発明は、台車を牽引するための台車牽引用電動三輪車であって、台車と連結するための連結具を具備するものに関する。
【背景技術】
【０００２】
例えば工場や倉庫内で製品を搬送する際に、製品を台車に積載してその台車を電動三輪車で牽引することが従来よりなされている。例えば実開平３−４７２０６号にそのような牽引用電動三輪車の一例が示されている。このものは、文献中の図３に示すように座り型の電動三輪車であって、牽引車の操作具６を操作することによって牽引車１の後部に取り付けられている牽引竿２を上下方向に操作し、牽引竿２の先端の係合凹部３を牽引台車４のフック５に引っ掛けて電動三輪車と台車とを連結する構成とされている。
【特許文献１】実開平３−４７２０６号公報（第３図）
【特許文献２】特許第２８３７７２４号公報
【発明の開示】
【発明が解決しようとする課題】
【０００３】
しかしながら、狭い通路を移動したり、頻繁に曲がったり、頻繁に乗り降りするような場合においては、上記したような従来の座り型の台車牽引用電動三輪車では車長が長くて小回りがきかなかったり、乗り降りの度に立ったり座ったり動作が面倒であるという問題があった。また、牽引用電動三輪車と台車とを連結する連結具も上記技術の他にも種々提案されている（例えば特許第２８３７７２４号）が、構造が複雑でコストがかかったり、使用する台車専用のものとされていて、汎用性に欠けていた。
【０００４】
本発明は上記のような事情に基づいて完成されたものであって、従来の台車牽引用三輪車および連結具と比較して経済性や操作性、利便性に優れる連結具付き台車牽引用電動三輪車を提供することを目的とする。
【課題を解決するための手段】
【０００５】
本発明は、電動モータおよびバッテリーを備えるとともに上面に人が立ち姿勢で乗車可能な車台と、前記電動モータによって駆動される一対の駆動輪および操舵輪と、前記操舵輪を操舵するハンドルとを備えた電動三輪車であって、前記電動三輪車と台車とを連結可能な連結具を備えたものにおいて、前記連結具は、一端側に前記台車のフレームに引掛けかつ挟持可能な引掛狭持部が設けられるとともに、他端側に垂直方向の回動軸を受けるための第１の軸受け金具が設けられたアームからなり、前記車台の後端に前記回動軸を受けるための第２の軸受け金具が設けられているところに特徴を有する。
【発明の効果】
【０００６】
本発明の連結具付き台車牽引用電動三輪車によれば、人間が立ち姿勢で乗り降りできる構成であるので、作業者が頻繁に乗り降りする作業の時の動作に負担がかからない。また従来のものより簡単な構造として電動三輪車本体を小型化することができるから、小回りがきいて狭い場所や通路等で使用することができたり、自転車のように気軽に持ち運ぶこともできて便利である。
【０００７】
また、連結具は単にアームを台車のフレームに引っ掛けて狭持するとともに、軸受け金具に回動軸を通すだけの構成であるから、簡単に電動三輪車と台車とを連結することができる。
【０００８】
また、一対のアームによって１台の台車を牽引すると安定的な牽引が可能となるから、アームを複数対とすることにより、複数台の台車を並列して牽引することができる。
【０００９】
また、引掛狭持部を２本の棒状部材や２枚の板状部材を屈曲させるとともにそれらを組み合わせて構成することにより、連結具の製造コストを大幅に低減させることができる。
【００１０】
さらにアームは垂直方向に回動可能とすると、引掛挟持部を台車に対して引っ掛ける作業が行いやすくなる。また、連結具に異なる種類の引掛狭持部を複数備えることにより、使用する台車に合わせて引掛狭持部を選択し、使用しない引掛狭持部はアームを回動させて邪魔にならない位置に移動させておくことができる。このような連結具は汎用性が高いため、それぞれの台車専用の連結具を製造するのに比べて、製造コストを削減することができる。
【発明を実施するための最良の形態】
【００１１】
＜実施形態１＞
本発明の第１実施形態を図１ないし図３によって説明する。
図１は、本発明に係る連結具付き台車牽引用電動三輪車１０の分解斜視図であって、１１は電動三輪車本体、１２は操舵輪、１３，１３は一対の駆動輪、１４は車台、１５は操舵用のハンドルである。車台１４は前方側がやや幅狭で後方側が幅広の略台形の板状部材からなり、前方側の中央部は、その周囲より１段高く盛り上がって内部に図示しないバッテリーを収容可能なバッテリーボックス１６とされている。バッテリーボックス１６の両横および後方は平坦状でその上面にゴム製の滑り止めマット１７が設けられており、ここに人間が立ち姿勢で乗車できるようになっている。また、車台１４の後端部には、後述する軸受け金具支持体３０が取り付けられている。そして、この軸受け金具支持体３０に備えられた補助輪３３を逃がすための逃げ溝１８が、車台１４の後端部に設けられている。さらに、車台１４の下面には、バッテリーの電力により駆動輪１３を駆動するためのモータ（図示せず）が取り付けられているとともに、車台１４の両側端部には一対の駆動輪１３，１３をカバーする駆動輪カバー１９，１９が盛り上がるように設けられている。
【００１２】
電動三輪車本体１１の後方には、台車と電動三輪車本体１１とを連結するための連結具２０が設けられている。連結具２０は、図１ないし図３に示すように、略矩形の板状部材からなる連結板２１と、連結板２１に沿って水平方向に延びる第１の軸受け金具２２と、その第１の軸受け金具２２の反対方向に延びる一対のアーム２６，２６とからなる。
【００１３】
上記第１の軸受け金具２２は、支持軸２３と、その一端から水平方向かつ下方に膨出した軸受筒部２４とを有し、この軸受筒部２４内に上下方向に貫通する軸受け孔２５が設けられている（図３参照）。軸受筒部２４の下面側の周縁部は面取りするように曲面形状となっている。なお支持軸２３は、連結板２１の下面側に固定されている。
【００１４】
一方、前記アーム２６は、図２および図４に示すように、長さの異なる２本の棒状部材２６ａ，２６ｂの一端部（先端側とする）をそれぞれＬ字型に折り曲げ加工するとともに、それら折り曲げ部分を台車のフレームの引っ掛け部分の幅aだけずらして折り曲げ部分が平行になるように重ね合わせ、その重ね合わせ部分を溶接したものであり、これらの折り曲げ部分とその間が台車のフレームＦに対する引掛狭持部２７とされている。また、一対のアーム２６，２６の他端側（２本の棒状部材の溶接部側）の端部（基端側とする）は棒状部材により架け渡されており、その架け渡し部２８が前記連結板２１の裏面に固定されている。なおこの時、前記引掛狭持部２７が下方側に向かって開放する方向に固定されている。さらに、一対のアーム２６，２６のうち引掛狭持部２７よりも基端側には、棒状部材によって架け渡された把持部２９が設けられている。
【００１５】
さらに、図１および図２に示すように、上記電動三輪車本体１１の車台１４の後端部には軸受け金具支持体３０が取り付けられている。この軸受け金具支持体３０は、コ字状に曲げられた角柱３１の開放された端部（以下開口部３１ａとする）側が車台１４の下面に固定されているとともに、閉じられた端部側は上方に向かって折り曲げられて支持壁３２を形成している。また、開口部３１ａ内には補助輪３３が設けられている。そして、上記支持壁３２に、第２の軸受け金具３５が補助壁３８を介して取り付けられている。この第２の軸受け金具３５はＵ字型に折り曲げられた棒状部材からなり、その両端部が垂直方向に並ぶように折り曲げ部の中央が支持壁３２に固定されている。また、この棒状部材の両端部には水平方向に膨出する径大部３６が形成され、この径大部３６、３６に互いに対向するように上下方向に延びる軸受け孔３７、３７が貫通されている（図３参照）。なお、この軸受け孔３７の内径は、上記第１の軸受け金具２２の軸受け孔２５の内径とほぼ等しい。
【００１６】
上記の第２の軸受け金具３５の各径大部３６間の距離ｈは、前述した第１の軸受け金具２２の軸受筒部２４の長さｌよりも若干大きくなるように設定され（ｈ＞ｌ））、第１の受け金具２２の軸受筒部２４を第２の受け金具３５の一対の径大部３６，３６間に差し込んで両軸受け孔３７，２５，３７を重ね合わせた状態で、軸受け孔３７，２５，３７に上方から回動軸となる連結ピン３９を挿入することができる。この連結ピン３９の外径は各軸受け孔２５，３７の内径に比べて十分に細くされてガタがあり、かつ軸受筒部２４の下面のうち電動三輪車１０側の後半部に曲面状の面取り部２４ａが形成されているから、アーム２６は連結ピン３９に対して水平面内で回動可能であるだけでなく、上下方向にも回動（旋回）可能である。
【００１７】
上記した本実施形態の連結金具付き台車牽引用電動三輪車１０は、次のように使用される。
まず、連結具２０の把持部２９を握り、連結具２０の第１の受け金具２２の軸受筒部２４を第２の受け金具３５の一対の径大部３６，３６間に差し込んで両軸受け孔３７，２５，３７を重ね合わせ、上方から回動軸となる連結ピン３９を挿入して、電動三輪車本体１１に連結具２０を連結しておく。
そして、台車牽引用電動三輪車１０を台車の場所まで走行させてアーム２６，２６先端の引掛狭持部２７，２７を台車のフレームＦに上方側から嵌め込む。このとき、アーム２６は連結ピン３９に対して上下方向に回動できるから、アーム２６先端の引掛挟持部２７を上方に引き上げてフレームＦに簡単に嵌め込むことができる。これにより一対の引掛挟持部２７が、フレームＦに対して前後に移動不能な状態となってフレームＦに連結される。
【００１８】
この状態で電動三輪車本体１１を走行させ、ハンドル１５を左右方向に操作したときには、連結ピン３９を回動中心として台車全体がゆっくり回動しつつ曲がることができる。また、段差等により上下方向に多少がたついた場合でも、軸受け孔３７，２５，３７同士の間に若干の遊びが設けられている（ｈ＞ｌ）から、段差による衝撃をやわらげることができる。
【００１９】
このように、本実施形態の連結具付き台車牽引用電動三輪車１０によれば、連結具２０の引掛挟持部２７を台車のフレームＦに引っ掛けるという簡単な操作により、電動三輪車本体１１を台車に連結させることが可能である。また、作業者が立ち姿勢で操縦する構成であるので、電動三輪車本体１１を小型化できて小回り性能がよく、狭い場所でも自在に使用することができる。座席付きの三輪車では、台車への連結作業や解除作業を行う際に、座り姿勢から一々立ち上がり、かつ、座り込む必要があるが、本発明では、立ち姿勢で操縦するから、連結具２０の台車への連結や解除等の作業及び操縦作業を極めて迅速に行うことができる。
【００２０】
＜実施形態２＞
次に、本発明の実施形態２を図５によって説明する。
本実施形態の連結具付き台車牽引用電動三輪車は、連結具４１に２対のアーム４２，４２，４２，４２（引掛狭持部）を設ける構成としたところが上記第１実施形態と相違する。電動三輪車本体１１については上記第１実施形態と同様の構成であるため、説明を省略する。
【００２１】
図５は本実施形態の連結具４１を示したものであり、この連結具４１は、長方形の板状部材を長尺方向に沿ってＬ字状に折り曲げたアーム支持板４３と、このアーム支持板４３の短辺に沿うように取り付けられた２対のアームと４２，４２，４２，４２、略矩形の板状部材をＬ字状に折り曲げた連結板４４と、上記第１実施形態の同様の構成の軸受け金具２２とからなる。
【００２２】
本実施形態のアーム４２は上記第１実施形態と同様の構成であって、２本の棒状部材４２ａ，４２ｂの一端部（先端側）をＬ字状に折り曲げて重ね合わせることにより、台車のフレームＦに対する引掛狭持部４５が形成されている。一方他端部（基端側）は、前記アーム支持板４３の折り曲げ部の内側の一面に、互いに平行になるように固定されている。なおこの時、引掛狭持部４５が下方側に向かって開放する方向に固定されている。
【００２３】
一方、軸受け金具２２は、連結板４４の折り曲げ部の内側の一面に、折り曲げ部から垂直方向に延びるように固定されている。
【００２４】
アーム支持板４３と連結板４４とは、２対のアーム４２，４２，４２，４２と第１の受け金具２２とが互いに反対方向に延びるように重ね合わされ、固定されている。さらに、アーム支持板の４３上面にはコ字型の把持部４６が設けられている。
【００２５】
本実施形態の連結金具付き台車牽引用電動三輪車によれば、各アーム４２対を１台ごとの台車に連結することができるから、２台の台車を並列状態で牽引することができ、台車牽引作業を効率的に行うことができる。
【００２６】
＜実施形態３＞
次に、本発明の実施形態３を図６および図７によって説明する。
本実施形態の連結具付き台車牽引用電動三輪車は、連結具５１に２種類のアーム５２，５３（引掛狭持部）を設ける構成としたところに特徴を有する。電動三輪車本体１１については上記第１実施形態と同様の構成であるため、説明を省略する。
【００２７】
本実施形態の連結具５１は、図６に示すように、一対の第１アーム５２，５２と、一対の第２アーム５３，５３とを具備している。
第１アーム５２は前記第１実施形態のアーム２６と同様の構成で、棒状部材からなる引掛挟持部２７を有する。このタイプの引掛挟持部２７は、いわゆる天秤台車（六輪カートとも称する）を連結するのに好適である。
一方、第２アームは、棒状部材５３ａの先端部に２枚の板状部材５３ｂ、５３ｃをＬ字型に折り曲げたものを前後に少しずらして溶接したものであり、これら板状部材５３ｂ、５３ｃの間に形成された隙間がかご形台車のフレームに対する引掛狭持部５４とされている。なお、２枚の板状部材５３ｂ，５３ｃのうち電動三輪車側となる板状部材５３ｃは、図面に示すように、下端部が前方に湾曲して後述する架け渡し部５５を中心とした湾曲形状をなしており、フレームと干渉しにくくしてある。
このタイプの引掛挟持部５４は、図７に示すように、いわゆるかご形台車の基台部周縁に設けられている板状のフレーム枠５８に係合させるに適している。フレーム枠５８は外周支柱部５９の外径よりも薄い鋼板で形成されているから、板状部材５３ｂが台車に搭載してある荷物に接触することがない。
【００２８】
一対の第１アーム５２，５２は、上記第１実施形態と同様の構成で連結板２１に対して固定されている。一方、一対の第２アーム５３，５３の基端部も棒状部材により架け渡されているが、この架け渡し部５５は、連結板２１のうちアーム側の端縁部に設けられた一対の軸受け部材５６，５６に貫通されており、これにより垂直方向に回動可能とされている。また、架け渡し部５５の中央部には、一対の第２アーム５３，５３の回動角度を規制するためのＬ字状に折り曲げられた板状のストッパ部材５７が設けられている。このストッパ部材５７が連結板２１に当接することにより、第２アーム５３，５３の回動角度が制限される（図７参照）。
【００２９】
さらに、一対の第１アーム５２，５２および一対の第２アーム５３，５３の中央部付近には、それぞれ棒状部材からなる把持部５８，５９が架け渡されている。
【００３０】
本実施形態の連結具付き台車牽引用電動三輪車５０によれば、１種類の連結具５１により２種類の台車に対して対応可能となり、便利である。
【００３１】
＜他の実施形態＞
本発明は上記記述及び図面によって説明した実施形態に限定されるものではなく、例えば次のような実施形態も本発明の技術的範囲に含まれる。
【００３２】
（１）上記実施形態では、第１および第２の軸受け金具は棒状部材によって形成したが、これに限らず、板状部材等で形成してもよい。
【００３３】
（２）上記実施形態３では、連結具に２種類の引掛狭持部を設ける構成としたが、これに限らず、さらに多くの種類の引掛狭持部を設ける構成としてもよい。また、例えば図７に示したタイプの引掛挟持部５３を備えたアーム５１を例えば２対設けて２台の天秤台車を並列して牽引できるようにしてもよい。
【図面の簡単な説明】
【００３４】
【図１】本発明の実施形態１の連結具付き台車牽引用電動三輪車の分解斜視図
【図２】同じく連結具および軸受け金具の拡大斜視図
【図３】同じく軸受け金具の拡大斜視図
【図４】同じく連結具の縦断面図
【図５】本発明の実施形態２の連結具の斜視図
【図６】本発明の実施形態３の連結具の斜視図
【図７】同じく連結具の縦断面図
【符号の説明】
【００３５】
１０…連結具付き台車牽引用電動三輪車
１１…電動三輪車本体
１２…操舵輪
１３…駆動輪
１４…車台
１５…ハンドル
２０、４１、５１…連結具
２１、４４…連結板
２２…第１の軸受け金具
２６、４２、５２、５３…アーム
２６ａ、２６ｂ…棒状部材
２７、４５、５４…引掛狭持部
３０…軸受け金具支持体
３５…第２の軸受け金具
３９…連結ピン（回動軸）
４３…アーム支持板
５３ｂ、５３ｃ…板状部材
【図１】
2009154683.tif 000003
【図２】
2009154683.tif 000004
【図３】
2009154683.tif 000005
【図４】
2009154683.tif 000006
【図５】
2009154683.tif 000007
【図６】
2009154683.tif 000008
【図７】
2009154683.tif 000009